(57)【要約】【目的】まな板の表裏を衛生的に使用しながら、縦型収納も容易にできる脚付きまな板の提供を目的とする。【構成】まな板の周壁面の前面と背面の両端寄りに、脚部材を回動可能に取り付けることにより構成される。【選択図】  図１
2004267701.tif 000002
【特許請求の範囲】
【請求項１】
まな板の周壁面の、前面と背面の両端寄りに、軸と軸基部を設け、そこに下部の重い脚の上部を回動可能に遊嵌して取り付けたことを特徴とする、回動脚付きまな板。
【請求項２】
脚部材の一方に軸と係止部の片方を設けた２個を内対面させ、他の一方を連結棒で橋絡したものを１対とした２対の脚を、まな板の周壁面の、前面と背面の両端寄りに係止部のもう片方と軸受け穴を設け、上記の軸を回動可能に枢支されたことを特徴とする、回動脚付きまな板。
【発明の詳細な説明】
【０００１】
【発明の属する技術分野】
この発明は、調理台とまな板の間に空間を持たせるための脚を設け、その脚を回動することによって、まな板の表と裏を使用でき、かつ、収納を容易にするまな板に関する発明である。
【０００２】
【従来の技術】
現在使用されているまな板のほとんどは、単板状の両面使用型である。このまな板は、調理台の床面にじかに接するため、非衛生的であるという問題点があった。
【０００３】
【発明が解決しようとする課題】
この問題を解決するまな板として、下駄脚付きまな板が存在していた。しかしそれは、片面しか使用できないことや、現在のシステムキッチンに収納する場合、脚が邪魔になるとゆう問題点があるため、現在ほとんど使用されなくなっている。以上の問題点を解決するため、単板状まな板に抗菌加工を施したり、布巾やシートを敷く等の手段が用いられるが、調理台床面に接触したものを、使用後、丹念に洗浄しなければならないという問題点があった。
本発明は、これ等の問題点を解消するまな板を提供することを目的とする。
【０００４】
【課題を解決するための手段】
上記目的を達成するため、発明の１つは、まな板の周壁面の、前面と背面の両端寄りに、軸と軸基部を設け、そこに下部の重い脚の上部を回動可能に遊嵌して取り付けるように構成されたことを特徴とする。
他の１つは、脚部材の一方に軸と係止部を設けた２個を内対面させ、他の一方を連結棒で橋絡したものを１対とした２対の脚を、まな板の周壁面の、前面と背面の両端寄りに係止部のもう片方と軸受け穴を設け、上記の軸を回動可能に枢支されるように構成されたことを特徴とする。
【０００５】
【発明実施の形態】
以下本発明の実施の形態について説明する。
図１は、回動脚付きまな板の１例の斜視図であり、まな板２の周壁面の前面と背面の両端寄りに、図２に示すように軸５を有する軸基部３を各１個設ける。脚部材１の上部に軸の径より大きな内径を有した貫通孔４を設け、上記の軸を遊嵌し、止具６で押止する。脚部材の下部は、図３に示すように軸基部の周壁と同形の凹部７を持った、下部の重い受け台８を有する。
結果として脚部材は、まな板使用面の縦軸に対しての角度変化に関わらず、垂直姿勢を維持、まな板に対し相対的な回動をする（以下自動回動脚付きまな板と総称する）ことで、まな板の表と裏を、その脚で支えることができ、調理台との間に空間を得られる。その時まな板にかかる重量は、図３の脚内側側面図に示すように、軸基部から脚部材の凹部に受け止められ、その摩擦によって使用時の安定を得ることもできる。又、脚部材の幅をまな板の厚さに近ずけることで、まな板の縦収納に際し脚部材も垂直姿勢を維持するため、収納の妨げにならない。
図４は、回動脚付きまな板の他の１例の斜視図であり、図５に示すようにまな板１１の周壁面の正面と背面の両端寄りに、軸受け穴１３と、その周辺に上、下、端方向に係止部の片方１２が設けられている。脚部材１０は、一方に軸１４と係止部のもう片方も設ける。その脚部材２個を内対面させ、脚部材の軸と対角する他方を、連結棒１５で橋絡したものを１対として、２対の軸のそれぞれを、まな板の軸受け穴に枢支する。
使用に際しては、手動で２対の脚を下方に係止するところまで回動する（以下手動回動脚付きまな板と総称する）ことでまな板の表と裏を、脚付きで使用することができ、調理台との間に空間が得られる。その時、図６の重量のベクトルが示すように、まな板の支持点１７と床接地点１８の作用で、脚にかかる重量は内側に向かい、使用時の安定が得られる。また、その脚を両端に係止することで、脚はまな板の厚さの幅に収まり、収納の妨げにならない。
以上、実施２例について説明したが、この発明は、以下の実施態様をとることができる。
（１）図１の自動回動脚付きまな板は、図７に示すように、軸基部と脚部材を独立した部品として、既存の単板まな板の周壁面に、ねじや接着剤で軸基部材２０を接合することで自動回動脚付きまな板の機能を得ることができる。また軸基部と脚部材が接する面に脚ブレ押さえ１９の、突起部を設けてもよい。
（２）図８は、自動回動脚付きまな板の脚部材の他の型で、軸基部を囲む円筒形の凹部２２を有し、ガイドとして脚部材２１の回動を円滑にできる。又軸基部と脚部材に係止部２３を設けることにより、一定の脚姿勢と強力な摩擦力も得ることができる。
（３）図９は、自動回動脚付きまな板の脚部材のもう１つの型で、まな板の周壁面に軸受け穴２５を設け、脚部材２４の軸２６を遊嵌し、止具で押止して自動回動脚付きまな板の機能を得ることができる。脚部材は下方に向かって内向きの傾斜をつけることで、軸上部にかかる重量の均一化がはかれる。
（４）脚部材の下部に、必要な重量が得られない場合、図３に示すように重り９を装着してもよい。
（５）図４の手動回動脚付きまな板は、図１０に示すように、軸受け穴と係止部、そして脚部材を独立した部品とし、既存のまな板の幅に合わせて、連結棒２９の余剰分を切除、脚部材２８を橋絡して、既存の単板まな板の周壁面に、ねじや接着剤で、軸受け部材２７を接合することで、手動回動脚付きまな板の機能を得ることができる。
（６）手動回動脚付きまな板の係止部は、軸又は連結棒に設けてもよい。又仕様の変化に対応して、設置数の増減も可能である。
（７）手動回動脚付きまな板の収納に際して、図１１に示すようにまな板本体に切欠部３０を設けておけば、連結棒との間に空間が得られ、取っ手と懸架部の機能を得ることができる。
（８）手動回動脚付きまな板の連結棒には、左右に液浸防止溝１６を設けることで、まな板上面から連結棒を伝わって下面に回りこむ液を防止することができる。
（９）上記説明の止具は軸を兼ねて使用されてもよい。
（９）脚部材の接地面に、磁石を設けることでステンレスの調理台に、回動脚付きまな板を強力に設置することができる。
【０００６】
【発明の効果】
この発明の回動脚付きまな板は、前記のように構成され、まな板と調理台の間に空間が得られることで、まな板の下面に調理台の汚れが付着することを防ぎ衛生的である。まな板の縦収納が多い現在のシステムキッチンに対しても、脚部がじゃますることなく収納することができる。
独立部品としての回動脚は、まな板本体を製造しない分、コストが軽減され、利用者に上記機能を安価に提供することができる。
【図面の簡単な説明】
【図１】自動回動脚付きまな板の斜視図。
【図２】自動回動脚周辺部の分解斜視図。
【図３】自動回動脚部材内側からの側面図。
【図４】手動回動脚付きまな板の斜視図。
【図５】手動回動脚周辺部の分解斜視図。
【図６】手動回動脚の重量に対するベクトル説明用側面図。
【図７】自動回動脚部品の分解斜視図。
【図８】自動回動脚部材の他の例の斜視図。
【図９】自動回動脚部材の他の例の斜視図。
【図１０】手動回動脚部品の分解斜視図。
【図１１】取っ手の斜視図。
【符号の説明】１、１０、２１、２４、２８…脚部材  ２、１１…まな板、
３…軸基部  ４…貫通孔  ５、１４、２６…軸
６…止具  ７、２２…凹部  ８…受け台  ９…重り
１２、２３…係止部  １３、２５…軸受け穴
１５、２９…連結部  １６…液防止溝  １７…まな板支持点
１８…床接地点  １９…脚ブレ押さえ凸部  ２０…軸基部材
２７…軸受け部材  ３０…切り欠き部
【図１】
2004267701.tif 000003
【図２】
2004267701.tif 000004
【図３】
2004267701.tif 000005
【図４】
2004267701.tif 000006
【図５】
2004267701.tif 000007
【図６】
2004267701.tif 000008
【図７】
2004267701.tif 000009
【図８】
2004267701.tif 000010
【図９】
2004267701.tif 000011
【図１０】
2004267701.tif 000012
【図１１】
2004267701.tif 000013